(57)【要約】【目的】ヘッドホン出力で音声をモニタしながら記録レベルの調整を行っても撮影者に誤解を招くことがないビデオカメラ装置を提供すること。【構成】１つの音量調整値入力手段を信号処理内容が全く異なる複数ブロックの音量調整手段として選択手段或は検出切り換え手段により切り分けて共用し、且つ、その複数ブロックの調整値が１つの系に対して同時に影響を与える場合、選択された側のボリューム位置表示のみではなく、選択されていない側のボリューム位置表示と、現在の音量調整値入力手段がどのブロックに機能しているかを合わせて表示する。【選択図】      図１
2004274413.tif 000002
【特許請求の範囲】
【請求項１】
１つの音量調整値入力手段を信号処理内容が全く異なる複数ブロックの音量調整手段として選択手段或は検出切り換え手段により切り分けて共用し、且つ、その複数ブロックの調整値が１つの系に対して同時に影響を与える場合、選択された側のボリューム位置表示のみではなく、選択されていない側のボリューム位置表示と、現在の音量調整値入力手段がどのブロックに機能しているかを合わせて表示することを特徴とするビデオカメラ装置。
【請求項２】
前記音量調整選択の選択肢は、記録レベル調整とヘッドホン出力調整であることを特徴とする請求項１記載のビデオカメラ装置。
【請求項３】
現在の音量調整値が機能している側のボリューム位置表示を実線、していない側を破線で表示して撮影者に伝えることを特徴とする請求項１記載のビデオカメラ装置。
【発明の詳細な説明】
【０００１】
【発明の属する技術分野】
本発明は、ビデオカメラ装置における音量調整のボリューム位置表示に関するものである。
【０００２】
【従来の技術】
従来、ビデオカメラ装置において１つの音量調整値入力部を共用し、選択或は端子の検出結果から複数の信号処理内容が異なるブロックの音量調整を行う場合、スピーカ音量調整とヘッドホン音量調整のようにそれぞれの出力系が独立しており、１つの系に複数の音量調整値が同時に影響を与えないブロックを想定して設定されていた。
【０００３】
そのため、選択されていない音量調整のボリューム位置表示は不要であり、選択された側の音量調整のボリューム位置のみを表示していた。
【０００４】
【発明が解決しようとする課題】
しかしながら、上記従来例では以下のような不具合がある。
【０００５】
即ち、１つの音量調整値入力部を、選択或は検出切り換えにより共用し、信号処理内容が全く異なる複数ブロックの音量調整に用い、且つ、その複数のブロックが１つの系に対して同時に影響を与えるとき、選択された側のボリューム位置表示のみでは、出力される信号がどちらのブロックの調整によりそのレベルになったのか、音声レベルをモニタしているだけでは分かりにくく誤解を招く可能性がある。
【０００６】
本発明は上記問題に鑑みてなされたもので、その目的とする処は、ヘッドホン出力で音声をモニタしながら記録レベルの調整を行っても撮影者に誤解を招くことがないビデオカメラ装置を提供することにある。
【０００７】
【課題を解決するための手段】
上記目的を達成するため、本発明は、１つの音量調整値入力手段を信号処理内容が全く異なる複数ブロックの音量調整手段として選択手段或は検出切り換え手段により切り分けて共用し、且つ、その複数ブロックの調整値が１つの系に対して同時に影響を与える場合、選択された側のボリューム位置表示のみではなく、選択されていない側のボリューム位置表示と、現在の音量調整値入力手段がどのブロックに機能しているかを合わせて表示することを特徴とする。
【０００８】
【発明の実施の形態】
以下に本発明の実施の形態を添付図面に基づいて説明する。
【０００９】
＜実施の形態１＞
図１〜図４は本発明の特徴を最も良く表わす図画である。
【００１０】
図２は本発明を適用するビデオカメラ装置全体のブロック図を示したものであり、図２において、１は光学画像を取り込むレンズ部、２は光学画像を電気信号に変換するＣＣＤ部、３はＣＣＤ部からの電気信号を処理するカメラ信号処理部、４は撮影時の画像をモニタすると共に、その他の様々な情報を表示する表示部、５は表示部へ出力する信号の処理を行う表示処理部、６は映像信号を処理するビデオ信号処理部、７はビデオカメラ装置全体の制御を行うシステムコントロール部、８はビデオ、オーディオ入出力を他の機器と接続するライン入出力部、９はヘッドホンプラグを接続するヘッドホンジャック、１０はヘッドホンジャック９にヘッドホンプラグが接続されたことを検出するヘッドホン検出部、１１は集音するマイク、１２は音声の信号処理を行うオーディオ信号処理部、１３は音声を出力するスピーカ、１４はスピーカ１３を駆動するスピーカドライバである。
【００１１】
図１は図２の中に適用された本発明を説明する図であり、図１において、１は複数の全く異なる信号処理ブロックにおいて選択或は接続の検出により切り換えを行い、複数の音量調整を行う音量調整値入力部、２は音声記録のレベル調整をオートで行うのかマニュアルで音量調整を行うのかを選択入力する記録モード切り換え部、３は撮影時の画像をモニタすると共に、その他の様々な情報を表示する表示部、４は音量調整値入力部をどの調整として機能させるかを切り換える音量調整入力選択部、５はビデオカメラ装置全体の制御を行うシステムコントロール部、６は表示部３へ入力する信号の処理を行う表示処理部、７は集音するマイク、８はマイク７の出力を増幅するマイクアンプ、９はアナログ信号をデジタル信号に又デジタル信号をアナログ信号に変換するＡＤ／ＤＡ、１０はマイクアンプ８の出力信号をシステムコントロール部５からの制御により調整する記録レベル調整部、１１はヘッドホンジャック１３にヘッドホンプラグが接続されたことを検出するヘッドホンジャック検出部、１２はヘッドホン出力レベルを調整するヘッドホン出力レベル調整部、１３はヘッドホンプラグを接続するヘッドホンジャック、１４はヘッドホンを駆動するヘッドホンアンプである。
【００１２】
図３はマニュアル記録レベル調整とヘッドホン出力レベル調整を、音量調整入力選択状態とヘッドホンプラグの接続状態によってどのように表示を切り換えるのかを示した図である。
【００１３】
又、図４はマニュアル記録レベル調整とヘッドホン出力レベル調整を、音量調整入力選択状態とヘッドホンプラグの接続状態によってどのように表示を切り換えるのかをフローチャートで示した図である。
【００１４】
以下、図１及び図２について各ブロックの動作説明を行う。
【００１５】
ヘッドホン未接続で、記録レベルをオートモードとした場合、ヘッドホンジャック検出部１１と記録モード切り換え部２の検出結果からシステムコントロール部５は表示処理部６に表示無しの情報を送る。表示部３は表示処理部６に送られる信号により図３の１に示すようにボリューム調整位置の表示を出さない。
【００１６】
ヘッドホンを接続して記録レベルをオートモードとした場合、ヘッドホンプラグがヘッドホンジャック１３に接続されるとヘッドホン検出部１１でそれを検出する。又、記録モード切り換え部２からオートモードの記録が選択されていることを検出する。
【００１７】
それぞれの検出結果をシステムコントロール部５で見て、ヘッドホンプラグが差し込まれてからの或る時間（数秒間）はヘッドホン出力調整のボリューム位置を表示するよう、又、記録レベルがオートモードとなっているため、記録レベル調整のボリューム位置表示は行わないよう表示処理部６に情報を送る。
【００１８】
表示処理部６からの表示情報から表示部３は図３の２に示すようなヘッドホン出力調整のボリューム位置を数秒間表示し、音量調整入力部１が操作されないと表示を消す。
【００１９】
その後、音量調整入力部１が再び操作されると再度表示部３はヘッドホン出力調整のボリューム位置を操作中は継続して表示し、操作終了数秒後に消える。このとき、記録モード切り換え部２はオートのままなので、音量調整入力選択部４を操作しても表示内容はヘッドホン出力調整のボリューム位置のままで、記録レベル調整ボリューム位置の表示には切り換らない。
【００２０】
ヘッドホン未接続で記録モードマニュアルを選択した場合、ヘッドホンプラグがヘッドホンジャック１３に接続されていないことをヘッドホン検出部１１で検出する。又、記録モード切り換え部２からマニュアルモード記録が選択されていることを検出する。
【００２１】
それぞれの検出結果をシステムコントロール部５で見て、マニュアルモード選択後数秒間は記録レベル調整のボリューム位置を表示するよう、又、ヘッドホンが未接続となっているため、ヘッドホン出力調整のボリューム位置表示は行わないよう表示処理部６に情報を送る。
【００２２】
表示処理部６からの表示情報から表示部３は図３の３に示すような記録レベル調整のボリューム位置を数秒間表示し、音量調整入力部１が操作されないと表示を消す。
【００２３】
その後、音量調整入力部１が再び操作されると再度表示部３は記録レベル調整のボリューム位置を操作中は継続して表示し、操作終了数秒後に消える。
【００２４】
ヘッドホンは未接続のままなので、音量調整入力選択部４を操作しても表示内容は記録レベル調整のボリューム位置表示固定となり、ヘッドホン出力調整ボリューム位置の表示には切り換らない。
【００２５】
ヘッドホンを接続して記録レベルをマニュアルモードとした場合、ヘッドホンプラグがヘッドホンジャック１３に接続されるとヘッドホン検出部１１でそれを検出する。又、記録モード切り換え部２からマニュアルモードの記録が選択されていることを検出する。
【００２６】
音量調整入力選択部４で音量調整値入力部１がどちらの調整を選択されているかも検出する。例えば、音量調整入力選択部４で記録レベル調整が選択されている場合、これらの検出結果からシステムコントロール部５は音量調整値入力部からの情報により記録レベル調整部１０の制御を行うと共に、システムコントロール部５内で持っている記録レベルが選択される以前のヘッドホン調整値のバックアップ情報によりヘッドホン出力レベル調整部を制御する。又、システムコントロール部５は表示処理部６を経由して表示部３上に選択された記録レベル調整ボリューム位置表示と、選択されていないヘッドホン出力調整バックアップ値のボリューム位置表示を合わせて図３の４のように表示する。
【００２７】
この状態から音量調整入力選択部でヘッドホンを選択されると、前記と逆の動作を行い、表示は図３の５のように変化する。
【００２８】
表示は各検出が表示を出すべき状態に変化したとき、瞬時に表示し、その後、状態に変化が無ければ数秒後に消える。又、音量調整値入力部１を操作し始めたとき、瞬時に表示を開始し、操作中は継続表示して操作が終了してから数秒後に消える。又、表示をしないモードに検出結果が変化した場合は瞬時に表示を消す。
【００２９】
【発明の効果】
以上の説明で明らかなように、本発明によれば、１つの音量調整値入力部を選択或は検出切り換えにより共用するビデオカメラ装置で、記録レベル調整のボリューム位置とヘッドホン出力調整のボリューム位置と現在の音量調整値入力部の操作がどちらの調整に反映されるのかを一目で確認できるため、ヘッドホン出力で音声をモニタしながら記録レベルの調整を行っても撮影者に誤解を招かないようにすることができる。
【図面の簡単な説明】
【図１】本発明の実施の形態に係るボリューム位置表示の構成を示す図である。
【図２】本発明の実施の形態に係るビデオカメラ装置全体の構成を示す図である。
【図３】本発明の実施の形態に係るボリューム位置情報の表示内容を示す図である。
【図４】本発明の実施の形態に係るボリューム位置表示のフローチャートである。
【符号の説明】
１        音量調整値入力部
２        記録モード切り換え部
３        表示部
４        音量調整入力選択部
５        システムコントロール部
６        表示制御部
７        マイク
８        マイクアンプ
９        ＡＤ／ＤＡ
１０      記録レベル調整部
１１      ヘッドホンジャック検出部
１２      ヘッドホン出力レベル調整部
１３      ヘッドホンジャック
１４      ヘッドホンアンプ
【図１】
2004274413.tif 000003
【図２】
2004274413.tif 000004
【図３】
2004274413.tif 000005
【図４】
2004274413.tif 000006